(57)【特許請求の範囲】
【請求項１】
終端が軸芯に固着され上記軸芯の回りに巻装されたロール材を始端側から巻き取る巻取りドラムと、上記巻取りドラムを回転駆動するモータとを備えるロール材巻取装置において、
上記巻取りドラムが上記ロール材を巻き終わるときに、上記軸芯がロール材巻き取り中における初期位置から移動することにより、上記モータへの通電路が遮断されることを特徴とするロール材巻取装置。
【請求項２】
上記ロール材は薬剤を保有しており、上記軸芯と上記巻取りドラムとの間には上記ロール材の巻き取りの途上で、上記ロール材を加熱する加熱体が設けられ、上記巻取りドラムが上記ロール材を巻き終わるときに、上記軸芯がロール材巻き取り中における初期位置から移動することにより上記加熱体への通電路が遮断されることを特徴とする請求項１に記載のロール材巻取装置。
【請求項３】
上記ロール材を収納するカセットの壁面に、上記軸芯の上記移動を案内するガイド孔が形成されていることを特徴とする請求項１または２に記載のロール材巻取装置。
【発明の詳細な説明】
【０００１】
【発明の属する技術分野】
本発明は、ロール状に巻回されたロール材を展開して巻き取るロール材巻取装置に関し、より詳しくは、ロール材の巻き取り終了時に自動的に電源を遮断するロール材巻取装置に関するものである。
【０００２】
【従来の技術】
蚊などの害虫を殺虫する手段あるいは室内に心地好い香りを漂わす手段として、表面に殺虫剤あるいは芳香剤等の薬剤を塗布したロール材を巻取りドラムにて巻取りながら加熱ヒータにより加熱して、大気中に薬剤を連続的に揮散させるロール材巻取装置が従来より広く知られている。
【０００３】
例えば、実公昭５１−５１８８４号公報、特公昭５５−４３７２７号公報、特開昭５７−１５５９３５号公報、特公平４−３４３６２号公報、実公平４−４５３８号公報、実公平４−４５３９号公報、実公平４−４５４０号公報に開示されているように、薬剤を含浸させた帯状体等のロール材を発熱体に接触させて、薬剤を加熱蒸散させるロール材巻取装置がある。
【０００４】
中でも、特開昭５７−１５５９３５号公報に開示されている殺虫剤の連続的揮散装置は、図５に示すように、ロール材としてのテープ１００を引き出しながら発熱体１０１によって加熱する構成となっている。この装置では、一方のスプール１０２に巻き付けられたテープ１００を、モータ１０３に接続された引出しローラ１０４にて引き出すと共に他方のスプール１０５で巻き取る。スプール１０２とスプール１０５との間には、ヒータ１０６によって加熱される発熱体１０１が設けられている。テープ１００は、巻き取られている間に発熱体１０１の上面に摺接しながら通過し、発熱体１０１によって加熱される。これにより、テープ１００に含浸された殺虫剤が大気中に揮散し、蚊などの害虫を殺虫することができる。また、この装置にはタイマー１０７が設けられており、所望の時間だけモータ１０３及びヒータ１０６に通電することができるようになっている。
【０００５】
【発明が解決しようとする課題】
しかしながら、ロール材の薬剤を加熱して大気中に揮散させる従来のロール材巻取装置では、例えば、スプール１０２にテープ１００の終端が固着されている場合、スプール１０５にてテープ１００を巻き終えた後はスプール１０２及びスプール１０５が回転不能となるため、テープ１００が移動不可能となる。このときにモータ１０３が通電されているとモータ１０３に大きな負荷がかかり、モータ１０３に異常が発生する可能性がある。また、スプール１０５にてテープ１００を巻き終えた後は、発熱体１０１に接しているテープ１００が発熱体１０１上に静止した状態で加熱され続ける。このため、テープ１００が異常に加熱されて溶断あるいは燃焼するといった危険性がある。
【０００６】
これに対し、タイマー１０７によって、スプール１０５がテープ１００を巻き終える時刻にモータ１０３あるいはヒータ１０６への通電を遮断することも考えられるが、スプール１０５がテープ１００を巻き終える時刻を推定することは困難である。このことは、テープ１００を完全に巻き終えることが困難であることを意味するので、テープ１００を使い切ることができず、不経済であるといった問題点がある。
【０００７】
一方、スプール１０２にテープ１００の終端が固着されていない場合、テープ１００はスプール１０５によって全て巻き取られるが、タイマー１０７が作動するまでヒータ１０６は発熱体１０１を加熱し続ける。従って、露出した発熱体１０１に人体が接触して火傷を起こしたり、異物が接触して炎上するといった危険性がある。
【０００８】
本発明は、上記従来の問題点に鑑みなされたものであって、その目的は、ロール材を巻き終えるとモータ及び加熱体等への通電を自動的に遮断する簡単かつ安価な構成のロール材巻取装置を提供することにある。
【０００９】
【課題を解決するための手段】
請求項１に係る発明のロール材巻取装置は、上記課題を解決するために、終端が軸芯に固着され上記軸芯の回りに巻装されたロール材を始端側から巻き取る巻取りドラムと、上記巻取りドラムを回転駆動するモータとを備えるロール材巻取装置において、上記巻取りドラムが上記ロール材を巻き終わるときに、上記軸芯がロール材巻き取り中における初期位置から移動することにより、上記モータへの通電路が遮断されることを特徴としている。
【００１０】
上記の発明では、モータへの通電開始と共に、軸芯の回りに巻装されている例えばテープ状あるいはひも状のロール材が巻取りドラムによって始端側から巻き取られ始める。巻取りドラムがロール材を巻き取っている間は、軸芯はロール材巻き取り開始時の初期位置にて回転している。ロール材の終端が軸芯に固着されていることにより、巻取りドラムがロール材を巻き終えるときに、ロール材の終端が軸芯を引っ張るので、軸芯の位置が移動する。移動した軸芯は、モータへの通電及び通電の遮断を切り換える、例えば、機械的、光学的または磁気的なスイッチに作用してモータへの通電路を遮断し、モータの回転を停止させる。
【００１１】
これにより、ロール材を巻き終えるとモータへの通電を自動的に遮断する簡単かつ安価な構成のロール材巻取装置を提供することができる。
【００１２】
請求項２に係る発明のロール材巻取装置は、上記課題を解決するために、請求項１に記載のロール材巻取装置において、上記ロール材は薬剤を保有しており、上記軸芯と上記巻取りドラムとの間には上記ロール材の巻き取りの途上で、上記ロール材を加熱する加熱体が設けられ、上記巻取りドラムが上記ロール材を巻き終わるときに、上記軸芯がロール材巻き取り中における初期位置から移動することにより上記加熱体への通電路が遮断されることを特徴としている。
【００１３】
上記の発明によれば、例えばテープ状あるいはひも状のロール材は薬剤を保有しており、また、このロール材は、巻取りドラムがロール材を巻き取るに伴って、発熱体上を通過する。発熱体上を通過するロール材からは、ロール材中の薬剤が発熱体により加熱されて大気中に揮散される。これにより、例えば、薬剤が殺虫剤であれば蚊等の害虫を殺虫し、薬剤が芳香剤であれば室内に心地好い香りを漂わせる。
【００１４】
この場合、請求項１の構成に基づいて上述したように、巻取りドラムがロール材を巻き終えることを利用して、モータへの通電路のみならず、加熱体への通電路をも遮断することができる。
【００１５】
これにより、ロール材を巻き終えるとモータ及び加熱体等への通電を自動的に遮断する簡単かつ安価な構成のロール材巻取装置を提供することができる。
【００１６】
請求項３に係る発明のロール材巻取装置は、上記課題を解決するために、請求項１または２に記載のロール材巻取装置において、上記ロール材を収納するカセットの壁面に、上記軸芯の上記移動を案内するガイド孔が形成されていることを特徴としている。
【００１７】
上記の発明によれば、カセットの壁面に単にガイド孔を形成するだけで、ロール材の巻き取りの間、例えば、ガイド孔の一端部に軸芯を支持させ、初期位置に保持することができる。また、巻取りドラムがロール材を巻き終えるときに、ガイド孔に案内させながら軸芯を初期位置から移動させることができる。
【００１８】
これにより、簡単な構造で、軸芯を上記スイッチに作用する位置に確実に案内し、モータ及び加熱体への通電を遮断させることができる。
【００１９】
【発明の実施の形態】
本発明のロール材巻取装置の実施の一形態について図１ないし図４に基づいて説明すれば、以下の通りである。
【００２０】
図３に示すように、本実施の形態のロール材巻取装置１は、カセット２と、カセット２が着脱可能に装着されるヒータベース３とから構成される。カセット２には、ケース本体２ａ、ケースカバー２ｂ、軸芯４、ロール材５、巻取りドラム６、ガイドローラ７…、及びガイド孔８が設けられている。また、ヒータベース３には、モータ９、巻取りドラム駆動軸１０、発熱体１１、ヒータ１２、リミットスイッチ１３、スイッチ軸１４、及びガイド孔１５が設けられている。カセット２をヒータベース３に装着する際、軸芯４がガイド孔１５に遊嵌され、巻取りドラム６が巻取りドラム駆動軸１０に歯合される。
【００２１】
軸芯４、ロール材５、巻取りドラム６及びガイドローラ７…の各回転軸は互いに平行となっている。また、これら回転軸に平行な方向をカセット２の幅方向と定義する。
【００２２】
上記カセット２は、ケース本体２ａと、ケース本体２ａに嵌合するケースカバー２ｂとによって、上記ロール材５を収納する箱状の中空室を形成する。ケースカバー２ｂは、ロール材５を適宜交換できるように、ケース本体２ａに対して嵌脱自在となっている。ケース本体２ａとケースカバー２ｂとが嵌合した状態においては、カセット２の幅がロール材５の幅に略等しくなっていると共に、カセット２の上部には凹状の切り欠き部が形成されている。
【００２３】
軸芯４の一端は、ケースカバー２ｂのヒータベース３に対向する第１の側面に設けられた長円形状のガイド孔８内において、ヒータベース３側に突出するように遊嵌されており、このガイド孔８内において上下方向に移動可能となっている。軸芯４の他端は、ケース本体２ａのヒータベース３に対して反対側の第２の側面に設けられたＵ字形状の隆起枠によって支持されると共に、この隆起枠内で上下方向に移動可能となっている。
【００２４】
ロール材５は、終端が軸芯４に固着されると共に軸芯４の回りに巻装され、表面に殺虫剤等の薬剤が含浸されたテープである。このロール材５は、ヒータベース３へのカセット２の装着時及び巻き取り中に、ガイド孔８及びＵ字形状の隆起枠の下端に支持された軸芯４によって、回転中心が定位置に保たれる。
【００２５】
巻取りドラム６は円筒形状をなしており、後述する巻取りドラム駆動軸１０が嵌入する円筒状の中空孔を有している。図１にも示すように、この中空孔の内面には後述するモータ９の巻取りドラム駆動軸１０と歯合する波形の凹凸が設けられている。巻取りドラム６の巻取りドラム駆動軸１０と歯合する側と反対側の端部は、上記第２の側面に設けられたベアリングに遊嵌されており、このベアリングと共に回転可能となっている。
【００２６】
カセット２の上面付近には、ロール材５が架け渡されて摺接すると共に、ロール材５の移動に伴い回転自在な５本のガイドローラ７…が設けられている。軸芯４に巻装されたロール材５を巻取りドラム６にて巻き取る際、これらのガイドローラ７…により、展開中のロール材５が緊張状態を保つようになっている。特に、カセット２の凹状の切り欠き部の上部では、ロール材５がカセット２の上面と平行に張られた状態となる。
【００２７】
ガイド孔８は、上述した第１の側面に設けられ、長円形状をなしている。その横幅は、ロール材５の巻き取り中に軸芯４が横方向へ移動するのを規制するために、軸芯４の直径に略等しくなっている。また、このガイド孔８は、ロール材５の巻き取り終了時に、軸芯４がロール材５の終端の張力によって上方に移動することができるように上下方向に延びている。ロール材５の巻き取り開始時及び巻き取り中は、ガイド孔８の下端部が軸芯４の初期位置となり、ロール材５の巻き取り終了時は、ガイド孔８の上部が軸芯４の移動先の位置となる。なお、ガイド孔８の長手方向は、上下方向に限定されるものではなく、ロール材５の終端の張力の成分によって軸芯４が初期位置から移動できる方向であればよい。
【００２８】
次に、ヒータベース３の各部材について説明する。ヒータベース３の下部には、カセット２が装着される際、カセット２が載置される台座３ａが設けられている。カセット２の幅方向の長さである縦幅及び縦幅に垂直な横幅に関して着目すると、カセット２とヒータベース３とが一体化されやすいように、カセット２及びヒータベース３の縦幅及び横幅は互いにそれぞれ略等しくなっている。
【００２９】
カセット２がヒータベース３に装着される際に巻取りドラム６に対向するヒータベース３の部位の裏側に、巻取りドラム６を回転駆動する超減速のモータ９が設けられている。モータ９には、波形の凹凸を有する巻取りドラム駆動軸１０が取り付けられており、上述したように、巻取りドラム６の内面に歯合される。
【００３０】
ヒータベース３の上部には、カセット２の凹状の切り欠き部の上部に張られたロール材５の下面に接する、あるいは僅かな間隙を形成するように、加熱体としての発熱体１１が設けられている。発熱体１１の下部には発熱体１１に当接するように加熱体としてのヒータ１２が設けられている。
【００３１】
カセット２がヒータベース３に装着される際にガイド孔８がヒータベース３に当接する部位には、ガイド孔８と同形状のガイド孔１５が設けられている。カセット２がヒータベース３に装着される際に、ガイド孔８とガイド孔１５とは重なり合うようになっている。軸芯４は、ガイド孔８を貫通してガイド孔１５にも遊嵌されると共に、ガイド孔１５内において上下方向に移動可能となっている。ガイド孔８とガイド孔１５とが同形状で、かつ重なり合うことから、軸芯４とガイド孔１５との位置関係は、軸芯４とガイド孔８との位置関係と同じになる。すなわち、ロール材５の巻き取り開始時及び巻き取り中は、ガイド孔１５の下端部が軸芯４の初期位置となり、ロール材５の巻き取り終了時は、ガイド孔１５の上部が軸芯４の移動先の位置となる。
【００３２】
また、ガイド孔１５に隣接してリミットスイッチ１３が設けられている。リミットスイッチ１３には、リミットスイッチ１３側を支点として回転可能なスイッチ軸１４が、ガイド孔１５を横断するように設けられている。ロール材５の巻き取り開始時及び巻き取り中は、スイッチ軸１４が自重によって、あるいはバネ等に付勢されて下方に回転し、ガイド孔１５内において初期位置にある軸芯４の上部に接する状態にあり、リミットスイッチ１３をＯＮ状態に保つ。一方、ロール材５の巻き取り終了時は、軸芯４がロール材５の終端の張力により、ガイド孔１５内において上方に移動し、スイッチ軸１４を上方へ回転させるため、リミットスイッチ１３をＯＦＦ状態にする。
【００３３】
なお、ケース本体２ａ、ケースカバー２ｂ、及びヒータベース３の材質は、プラスチック等、軽量性、耐候性、成形の容易さ等を考慮して選択すればよい。
【００３４】
一方、モータ９、ヒータ１２、これらを駆動する図示しない電源、及びリミットスイッチ１３の配線は図４に示されるようになっている。モータ９とヒータ１２とは電源に対して並列に接続されており、配線抵抗Ｒが電源に対して直列に接続されている。ここで、リミットスイッチ１３は、モータ９とヒータ１２とが電源に対して同時に通電あるいは遮断状態になるように接続されている。
【００３５】
次に、上記の構成のロール材巻取装置１の動作について説明する。カセット２をヒータベース３に装着した後、モータ９及びヒータ１２を駆動する電源を投入する。すると、モータ９が回転して巻取りドラム６がロール材５を巻き取り始めると共に、ヒータ１２によって発熱体１１は、例えば２００〜２３０℃に加熱される。モータ９の回転と共に、ロール材５は１〜１０ｃｍ／時といった超低速で走行する。発熱体１１上に接しながら、あるいは僅かな間隙を置いて走行するロール材からは、含浸された殺虫剤等の薬剤が発熱体１１の発熱によって揮散する。
【００３６】
ロール材５の展開中は、図２に示すように、軸芯４はその回りに巻装されたロール材５の重みによって、初期位置としてのガイド孔１５の最下部にある。巻取りドラム６がロール材５を巻き終えると、図１に示すように、軸芯４には、軸芯４に固着されたロール材５の終端部の張力が直接かかるため、ロール材５の終端部は軸芯４を上方へ引っ張る。これにより、軸芯４はガイド孔８及びガイド孔１５内において上方へ移動する。このとき、軸芯４は、スイッチ軸１４を押し上げるため、リミットスイッチ１３がＯＦＦ状態になり、モータ９及びヒータ１２への通電が遮断される。
【００３７】
このように、ロール材巻取装置１は、簡単かつ安価な構成で、巻取りドラム６がロール材５を巻き終えるとモータ９及びヒータ１２への通電を自動的に遮断させることができる。
【００３８】
なお、本実施の形態においては、モータ９及びヒータ１２への通電及び通電の遮断にリミットスイッチ１３を使用したが、これに限らず、例えば、フォトインタラプタあるいは近接スイッチ等を使用してもよい。フォトインタラプタの場合は、軸芯４が初期位置にあるときには、発光部からの光が受光部にて受光されて、モータ９及びヒータ１２へ通電される。巻取りドラム６がロール材５を巻き終えるときには、軸芯４が移動して発光部と受光部との間を遮ることによりモータ９及びヒータ１２への通電が遮断される。近接スイッチの場合は、軸芯４が初期位置にあるときには、磁気スイッチがＯＮ状態にあり、モータ９及びヒータ１２へ通電される。巻取りドラム６がロール材５を巻き終えるときには、軸芯４が移動して近接スイッチに接近することにより、磁気スイッチがＯＦＦ状態となり、モータ９及びヒータ１２への通電が遮断される。
【００３９】
また、ロール材５はテープ状のものとしたが、これに限らず、ひも状、ベルト状または網状のもの等、巻き取り可能な形態であれば、その形状や素材に限定されることなく本発明を適用することができる。
【００４０】
さらに、ロール材５には殺虫剤を塗布したが、これに限らず、芳香剤など、加熱によって揮散する薬剤であれば何を塗布してもよい。このときは、発熱体１１はそれぞれの薬剤を揮散させるのに適した温度に加熱される。
【００４１】
さらに、本実施の形態におけるロール材巻取装置１は、ロール材５の薬剤を発熱体１１の発熱によって揮散させるものとしたが、ロール材５が加熱を要しない場合、発熱体１１及びヒータ１２を設ける必要はない。このような場合でも、ロール材５の巻き終わりと同時にモータ９への通電を遮断することで、モータ９に余分な負荷をかけなくて済む。
【００４２】
【発明の効果】
請求項１に係る発明のロール材巻取装置は、以上のように、終端が軸芯に固着され上記軸芯の回りに巻装されたロール材を始端側から巻き取る巻取りドラムと、上記巻取りドラムを回転駆動するモータとを備えるロール材巻取装置において、上記巻取りドラムが上記ロール材を巻き終わるときに、上記軸芯がロール材巻き取り中における初期位置から移動することにより、上記モータへの通電路が遮断される構成である。
【００４３】
それゆえ、巻取りドラムがロール材を巻き終えると自動的にモータが停止するため、ロール材の巻取りが終了した時点において巻取りドラムが回転不能になることでモータに大きな負荷がかかるのを防止することができる。
【００４４】
この結果、ロール材を巻き終えるとモータへの通電を自動的に遮断する簡単かつ安価な構成のロール材巻取装置を提供することができるという効果を奏する。
【００４５】
また、上記の効果は、ロール材を巻取りドラムによって巻き取る装置一般において得ることができる。
【００４６】
請求項２に係る発明のロール材巻取装置は、以上のように、請求項１に記載のロール材巻取装置において、上記ロール材は薬剤を保有しており、上記軸芯と上記巻取りドラムとの間には上記ロール材の巻き取りの途上で、上記ロール材を加熱する加熱体が設けられ、上記巻取りドラムが上記ロール材を巻き終わるときに、上記軸芯がロール材巻き取り中における初期位置から移動することにより上記加熱体への通電路が遮断される構成である。
【００４７】
それゆえ、巻取りドラムがロール材を巻き終えると自動的にモータ及び加熱体への通電が停止され、請求項１に係る発明の効果に加えて、ロール材の巻取りが終了した時点において加熱体上のロール材が移動不可能となることで加熱体上のロール材が異常に加熱され、ロール材が溶断あるいは燃焼するといった危険性を回避することができる。
【００４８】
この結果、ロール材を巻き終えるとモータ及び加熱体等への通電を自動的に遮断する簡単かつ安価な構成のロール材巻取装置を提供することができるという効果を奏する。
【００４９】
請求項３に係る発明のロール材巻取装置は、以上のように、請求項１または２に記載のロール材巻取装置において、上記ロール材を収納するカセットの壁面に、上記軸芯の上記移動を案内するガイド孔が形成されている構成である。
【００５０】
これにより、簡単な構造で、軸芯を、モータ及び加熱体等への通電及び通電の遮断を行うスイッチに作用する位置へ確実に案内することができるという効果を奏する。
【図面の簡単な説明】
【図１】本発明の実施の一形態におけるロール材巻取装置のロール材展開終了時のヒータベース正面図である。
【図２】上記ロール材巻取装置のロール材展開中のヒータベース正面図である。
【図３】上記ロール材巻取装置の構成を示す分解斜視図である。
【図４】上記ロール材巻取装置のモータ、加熱体及びリミットスイッチの配線を示す配線図である。
【図５】従来のロール材巻取装置の構成を示す斜視図である。
【符号の説明】
１            ロール材巻取装置
４            軸芯
５            ロール材
６            巻取りドラム
８            ガイド孔
９            モータ
１１            発熱体（加熱体）
１２            ヒータ（加熱体）
【図１】
0003598207.tif 000002
【図２】
0003598207.tif 000003
【図３】
0003598207.tif 000004
【図４】
0003598207.tif 000005
【図５】
0003598207.tif 000006